(57)【特許請求の範囲】
【請求項１】
通信回線を介して入力される入力情報及び発信元情報を受信可能な受信手段と、
前記発信元情報に関連する関連機能を設定する関連機能設定手段と、
前記関連機能設定手段によって設定可能な設定項目を表示する表示手段と、
前記発信元情報を前記受信手段によって受信するか否かを設定する発信元情報受信設定手段と、
前記発信元情報受信設定手段により前記発信元情報を受信可能と設定された場合には、前記関連機能の設定項目が表示手段に表示されて、前記関連機能設定手段により前記関連機能の設定が可能となると共に、前記発信元情報受信設定手段により前記発信元情報が受信不可と設定された場合には、前記関連機能の設定項目が表示手段に表示されず、前記関連機能設定手段により前記関連機能の設定ができないように制御する制御手段とを備えたことを特徴とする通信端末装置。
【請求項２】
親機と少なくとも１つの子機とを備え、
前記親機は、前記関連機能設定手段と、表示手段と、
前記発信元情報受信設定手段と、
前記発信元情報と前記子機の呼び出し先情報とを対応付けて記憶する発信元情報記憶手段と、
受信した発信元情報に基づいて前記発信元情報記憶手段に記憶された子機の呼び出し先情報を検索する検索手段と、
検索の結果、対応する子機の呼び出し先情報があった場合には、該子機の呼び出し先情報に基づいて子機を呼び出す子機呼び出し手段とを有し、
前記関連機能は、前記子機呼び出し手段により前記発信元情報に対応する子機を呼び出す機能を含み、前記設定項目は、前記子機の呼び出し先情報を含むことを特徴とする請求項１に記載の通信端末装置。
【請求項３】
前記親機及び（／若しくは）子機は、鳴動パターン情報若しくは鳴動パターン制御情報を複数通り記憶する鳴動パターン記憶手段を有し、
前記子機は、前記鳴動パターン情報若しくは鳴動パターン制御情報に基づいて鳴動する呼び出し手段を有し、
前記呼び出し先情報は、前記鳴動パターン情報若しくは鳴動パターン制御情報を含み、
前記関連機能は、前記発信元情報に対応する子機に前記鳴動パターン情報若しくは鳴動パターン制御情報を送出する機能を含み、前記設定項目は、前記鳴動パターン情報を含むことを特徴とする請求項２に記載の通信端末装置。
【請求項４】
前記発信元情報は、電話番号であることを特徴とする請求項１乃至請求項３のいずれかに記載の通信端末装置。
【発明の詳細な説明】
【０００１】
【発明の属する技術分野】
本発明は、発信元情報を受信可能な受信手段とこの発信元情報に関連する関連機能を設定する設定手段とを備えた通信端末装置に関し、特に、前記関連機能を設定する場合に、前記受信手段が動作可能なときに限りこの関連機能の設定項目を表示手段に表示し、この受信手段が動作不可のときには、前記設定項目を表示しないようにすることにより、前記関連機能の設定ミスを未然に防止することが可能となると共に、必要な機能の設定のみを簡易に行うことが可能な通信端末装置に関するものである。
【０００２】
【従来の技術】
従来より、電話機等の通信端末装置においては、発信元情報を受信可能な受信手段を備えた通信端末装置が種々提案されている。例えば、親機と複数の子機とから構成される通信端末装置においては、発信元情報に対応した子機の呼び出し先を予め登録する場合に、設定項目を順次ＬＣＤ（liquid crystal display）等に表示し、選択キー等の入力によって子機の呼び出し先を選択することにより、子機の呼び出し先を個別に設定できる親機が提案されている。これにより、親機は受信した発信元情報に基づいて、予め設定された子機を選択して呼び出すことが可能となる。また、発信元情報に対応する親機の呼び出し音の鳴動パターンを予め登録する場合に、設定項目を順次ＬＣＤ等に表示し、選択キー等の入力によって複数通りの鳴動パターンから選択して設定できる通信端末装置が提案されている。これにより、着信側は、親機の呼び出し音の鳴動パターンから発信元を推定することが可能となる。
【０００３】
【発明が解決しようとする課題】
しかしながら、これらの通信端末装置では、前記受信手段を停止させて利用していない場合あるいは動作不可の場合も、発信元情報に対応した子機の呼び出し先や親機の呼び出し音の鳴動パターン等の設定項目が、親機の機能の設定時にＬＣＤ等に表示されるため、機能の設定ミスが生じ易いという問題や機能の設定作業が煩雑になるという問題がある。
【０００４】
そこで、本発明は、上述した問題点を解決するためになされたものであり、前記受信手段を備えた通信端末装置の機能が設定される場合には、前記受信手段が作動しているときあるいは動作可能なときに限り発信元情報に関連する関連機能の設定項目がＬＣＤ等に表示されるように制御することにより、前記関連機能の設定ミスを未然に防止することが可能となると共に、必要な機能の設定のみを簡易に行うことが可能な通信端末装置を提供することを目的とする。
【０００５】
【課題を解決するための手段】
前記目的を達成するため請求項１に係る通信端末装置は、通信回線を介して入力される入力情報及び発信元情報を受信可能な受信手段と、前記発信元情報に関連する関連機能を設定する関連機能設定手段と、前記関連機能設定手段によって設定可能な設定項目を表示する表示手段と、前記発信元情報を前記受信手段によって受信するか否かを設定する発信元情報受信設定手段と、前記発信元情報受信設定手段により前記発信元情報を受信可能と設定された場合には、前記関連機能の設定項目が表示手段に表示されて、前記関連機能設定手段により前記関連機能の設定が可能となると共に、前記発信元情報受信設定手段により前記発信元情報が受信不可と設定された場合には、前記関連機能の設定項目が表示手段に表示されず、前記関連機能設定手段により前記関連機能の設定ができないように制御する制御手段とを備えたことを特徴とする。
【０００６】
このような特徴を有する請求項１に係る通信端末装置によれば、通信回線を介して入力される入力情報から発信元情報を受信可能な受信手段が、発信元情報受信設定手段により発信元情報を受信可能と設定された場合には、制御手段によって発信元情報に関連する関連機能を設定するための設定項目が、当該通信端末装置の機能設定時に、設定項目として表示手段に表示されて、関連機能設定手段を介して設定可能となる。また、この受信手段が、発信元情報受信設定手段により発信元情報が受信不可と設定された場合には、制御手段によって発信元情報に関連する関連機能を設定するための設定項目が、当該通信端末装置の機能設定時に、設定項目として表示手段に表示されないため、関連機能設定手段を介した関連機能の設定ができなくなる。
これにより、受信手段を備えた通信端末装置の機能が設定される場合には、発信元情報受信設定手段により発信元情報を受信可能と設定されたときに限り発信元情報に関連する関連機能を設定するための設定項目が表示手段に表示されて、関連機能設定手段を介して設定可能となるため、関連機能設定手段を介した発信元情報に関連する関連機能の設定ミスを未然に防止することが可能となると共に、必要な機能の設定のみを簡易に行うことが可能となる。
【０００７】
また、請求項２に係る通信端末装置は、請求項１に記載の通信端末装置において、親機と少なくとも１つの子機とを備え、前記親機は、前記関連機能設定手段と、表示手段と、前記発信元情報受信設定手段と、前記発信元情報と前記子機の呼び出し先情報とを対応付けて記憶する発信元情報記憶手段と、受信した発信元情報に基づいて前記発信元情報記憶手段に記憶された子機の呼び出し先情報を検索する検索手段と、検索の結果、対応する子機の呼び出し先情報があった場合には、該子機の呼び出し先情報に基づいて子機を呼び出す子機呼び出し手段とを有し、前記関連機能は、前記子機呼び出し手段により前記発信元情報に対応する子機を呼び出す機能を含み、前記設定項目は、前記子機の呼び出し先情報を含むことを特徴とする。
【０００８】
このような特徴を有する請求項２に係る通信端末装置によれば、請求項１に記載の通信端末装置において、当該通信端末装置は、親機と少なくとも１つの子機とから構成されている。そして、親機は、前記関連機能設定手段と表示手段と発信元情報受信設定手段とを有しており、発信元情報と子機の呼び出し先情報とを対応づけて発信元情報記憶手段に記憶している。そして、前記関連機能は、親機が、受信手段を介して発信元情報を受信した場合には、検索手段により前記発信元情報記憶手段からこの受信した発信元情報に対応する子機の呼び出し先情報を検索し、検索の結果、発信元情報に対応する子機の呼び出し先情報があった場合には、この子機の呼び出し先情報に基づいて子機呼び出し手段により、前記発信元情報に対応する子機を呼び出す機能を含んでいる。また、前記設定項目は、発信元情報に対応する子機の呼び出し先情報を含んでいる。
これにより、受信手段を備えた親機の機能が設定される場合には、発信元情報受信設定手段により発信元情報を受信可能と設定されたときに限り、発信元情報に対応する子機を呼び出す機能を設定するための設定項目として子機の呼び出し先情報が表示手段に表示されて、関連機能設定手段を介して当該発信元情報に対応する子機の呼び出し先情報の設定ができるため、発信元情報受信設定手段により発信元情報を受信可能に設定されている場合には、発信元情報に対応する子機の呼び出し先情報が確実に設定可能になる。また、発信元情報受信設定手段により発信元情報が受信不可と設定された場合には、関連機能を設定する設定項目としての子機の呼び出し先情報が表示手段に表示されないため、この発信元情報に対応する子機を呼び出す機能の設定を行わないことが可能となり、当該親機の機能設定を簡易に行うことが可能となる。
【０００９】
また、請求項３に係る通信端末装置は、請求項２に記載の通信端末装置において、前記親機及び（／若しくは）子機は、鳴動パターン情報若しくは鳴動パターン制御情報を複数通り記憶する鳴動パターン記憶手段を有し、前記子機は、前記鳴動パターン情報若しくは鳴動パターン制御情報に基づいて鳴動する呼び出し手段を有し、前記呼び出し先情報は、前記鳴動パターン情報若しくは鳴動パターン制御情報を含み、前記関連機能は、前記発信元情報に対応する子機に前記鳴動パターン情報若しくは鳴動パターン制御情報を送出する機能を含み、前記設定項目は、前記鳴動パターン情報を含むことを特徴とする。
【００１０】
このような特徴を有する請求項３に係る通信端末装置によれば、請求項２に記載の通信端末装置において、前記親機及び（／若しくは）子機は、鳴動パターン情報若しくは鳴動パターン制御情報を複数通り記憶する鳴動パターン記憶手段を備えている。そして、関連機能は、親機が、発信元情報を受信すると、この発信元情報に基づいて前記鳴動パターン情報若しくは鳴動パターン制御情報を含む子機の呼び出し先情報を検索手段により前記発信元情報記憶手段から検索し、検索の結果、発信元情報に対応する子機の呼び出し先情報があった場合には、前記発信元情報に対応する子機に前記鳴動パターン情報若しくは鳴動パターン制御情報を送出する機能を含んでいる。また、前記設定項目は、発信元情報に対応する子機の鳴動パターン情報を含んでいる。そして、子機は、この鳴動パターン情報若しくは鳴動パターン制御情報を含む子機の呼び出し先情報を受信した場合には、呼び出し手段を介してこの鳴動パターン情報若しくは鳴動パターン制御情報に基づいて鳴動する。
これにより、受信手段を備えた親機の機能が設定される場合には、発信元情報受信設定手段により発信元情報を受信可能と設定されたときに限り、発信元情報に対応する子機の鳴動パターン情報若しくは鳴動パターン制御情報を送出する機能を設定するための設定項目として、子機の鳴動パターン情報が表示手段に表示されて、関連機能設定手段を介して当該発信元情報に対応する子機の鳴動パターンが設定できるため、発信元情報受信設定手段により発信元情報を受信可能に設定されている場合には、発信元情報に対応する子機の鳴動パターン情報が確実に設定可能になる。また、発信元情報受信設定手段により発信元情報が受信不可と設定された場合には、関連機能を設定する設定項目としての子機の鳴動パターン情報が表示手段に表示されないため、この発信元情報に対応する子機の鳴動パターン情報若しくは鳴動パターン制御情報を送出する機能の設定を行わないことが可能となり、当該親機の機能設定を簡易に行うことが可能となる。
【００１１】
さらに、請求項４に係る通信端末装置は、請求項１乃至請求項３のいずれかに記載の通信端末装置において、前記発信元情報は、電話番号であることを特徴とする。
【００１２】
このような特徴を有する請求項４に係る通信端末装置によれば、請求項１乃至請求項３のいずれかに記載の通信端末装置において、前記発信元情報は、電話番号であるため、前記発信元情報記憶手段に、この電話番号に対応させて、子機の呼び出し先情報や子機の鳴動パターン情報若しくは鳴動パターン制御情報を記憶させることが可能となる。
【００１３】
【発明の実施の形態】
以下、本発明に係る通信端末装置について、本発明を留守番録音機能付きのコードレス電話機につき具体化した実施形態に基づいて図面を参照しつつ詳細に説明する。先ず、本実施形態に係る留守番録音機能付きのコードレス電話機の親機の概略構成について図１及び図２に基づき説明する。図１は本実施形態に係る留守番録音機能付きのコードレス電話機の親機の概略構成を示すブロック図である。図２は本実施形態に係る留守番録音機能付きのコードレス電話機の親機の操作パネルの正面図である。
【００１４】
先ず、親機の概略構成を図１に基づいて説明する。図１に示すように、電話回線２０に接続される親機１の概略構成は、発信元電話番号付加判別手段２、着信信号検出手段３、ラインリレー４、発信元電話番号判別手段５、終話検出手段６、通話回路７、応答メッセージ送出手段８、伝言メッセージ録音手段９、アンプ１０、スピーカ１１、ＣＰＵ１２、ＲＯＭ１３、ＥＥＰＲＯＭ１４、ＲＡＭ１５、ダイヤル発信手段１６、無線送受信部１７、アンテナ１８、操作パネル１９、ＬＣＤ（liquid crystal display）２１、タイマ２２、呼び出し手段２３、マイク２４、及び切替スイッチ４０等を備えている。
電話回線２０には、加入者線交換機からアナログ回線等に送出される発信元情報としての発信元電話番号データ等を受信する機能を有する発信元電話番号受信端末を起動するために、交換機から送られる発信元電話番号受信端末起動信号を受信する発信元電話番号付加判別手段２が、回線閉結用のラインリレー４を介さずに直接接続されている。同様に、電話回線２０には、着信信号を検出する着信信号検出手段３が、回線閉結用のラインリレー４を介さずに直接接続されている。さらに、電話回線２０には、ラインリレー４を介して、発信元電話番号データ等を含む通話情報を受信し、発信元電話番号データを検出する発信元電話番号判別手段５、発信者の終話を検出する終話検出手段６、及び電話回線２０との通話を行う通話回路７が接続されている。
【００１５】
一方、親機１の全体を制御するＣＰＵ１２が設けられ、発信元電話番号付加判別手段２、着信信号検出手段３、ラインリレー４、発信元電話番号判別手段５、及び終話検出手段６はＣＰＵ１２に接続されている。また、通話回路７には、応答メッセージを送出する応答メッセージ送出手段８と、発信者の伝言メッセージを記録し再生する伝言メッセージ録音手段９とが接続され、この応答メッセージ送出手段８と伝言メッセージ録音手段９とは、ＣＰＵ１２にも接続されている。そして、伝言メッセージ録音手段９には、アンプ１０を介して伝言メッセージを発声するスピーカ１１が接続されている。
【００１６】
また、ＣＰＵ１２には、電話機機能等を実行するのに必要な各種プログラム、後述する呼び出し先データテーブル５１（図４参照）、及び鳴動パターンデータテーブル５２（図５参照）等を記憶しているＲＯＭ１３、各種の登録データやフラッグ等を記憶しているＥＥＰＲＯＭ１４、及び各種ディジタルデータを一時記憶するＲＡＭ１５が接続されている。また、ＥＥＰＲＯＭ１４には、「電話番号」と、それに対応する「名前」、「呼び出し先」、及び「鳴動パターン」より構成される後述の電話番号データテーブル５３（図６参照）が記憶される電話番号データテーブル記憶エリア１４Ａや、応答メッセージが記憶される応答メッセージ記憶エリア１４Ｂ等が設けられている。
【００１７】
また、ＣＰＵ１２には、通話回路７に接続され、テンキー等で構成されるダイヤル発信手段１６、子機２５（図２参照）に送信すべき後述の情報を変調してアンテナ１８を介して送出する無線送受信部１７、再生操作や発信操作等の操作を行うための各種キーや後述する入力指示情報等が表示されるＬＣＤ２１等が配置されている操作パネル１９、一定時間を計測してタイムアウト信号を出力するタイマ２２、呼び出し音により着信を知らせる呼び出し手段２１、マイク２４、及び発信元情報としての発信元電話番号データ等を受信する機能のオン・オフを入力する切替スイッチ４０等が接続されている。
【００１８】
次に、親機１の操作パネル１９の構成を図２に基づいて説明する。図２に示すように、操作パネル１９にはＬＣＤ２１が左上側に配設されるとともに、マイク２４及び留守番録音機能をセットする留守録ボタン４８が右上側に配設されている。更に、操作パネル１９上の左側位置には、ダイアル入力を行うためのダイアルキー３８が配置されている。かかるダイアルキー３８には、「０」乃至「９」の数値キー、アスタリスクキー３９、及び、シャープキー４１が包含されている。また、ダイアルキー３８の左下側にはスピーカホンキー４３が配置されており、かかるスピーカホンキー４３は、通話をマイク２４とスピーカ１１に切り換えてスピーカホンモード（不図示の受話器がマイク２４とスピーカ１１とに切り換えられて、受話器を取ることなく通話を行えるモード）を設定するためのキーである。また、マイク２４は、スピーカホンモードに切り換えられた際に、通話者の声を採音するものである。
また、操作パネル１９のダイアルキー３８の右側には、各種機能を選択するための機能ボタン４２等が設けられている。また、ダイアルキー３８の上側には、機能ボタン４２によって選択された機能の設定項目がＬＣＤ２１に表示された際に設定の入力をするセットキー４５、及び設定項目の内容表示を順次変更させる送りキー４６、４７が配置されている。
更に、操作パネル１９の右側下方には、伝言メッセージ録音手段９に録音されている伝言の再生指示を入力する再生キーＰ、及び録音再生等を停止させる停止ボタン４４等の親機１として必要な各種のキーが配置されている。
【００１９】
次に、子機の概略構成を図３に基づいて説明する。図３は本実施形態に係る留守番録音機能付きのコードレス電話機の子機の概略構成を示すブロック図である。尚、本実施形態に係るコードレス電話機の親機１には最大４台までの子機の接続が可能である。また、親機１に接続される各子機には、予め「１」から「４」のいずれかの識別番号が付されている（以下、各々「子機１」、「子機２」、「子機３」、「子機４」という）。そして、各子機の構成は、全てほぼ同じ構成である。
【００２０】
図３に示すように、子機２５の概略回路構成は、ＣＰＵ２６、ＲＯＭ２７、ＲＡＭ２８、パネル２９、無線送受信部３１、アンテナ３２、アンプ部３３、スピーカ３４、及びマイク３５等を備えている。ＣＰＵ２６、ＲＯＭ２７、ＲＡＭ２８、パネル２９、無線送受信部３１、及びアンプ部３３は、バス線により相互に接続されている。また、無線送受信部３１には、アンテナ３２が接続され、アンプ部３３には、スピーカ３４及びマイク３５が接続されている。尚、子機２５は、不図示の充電器に載置されている。
【００２１】
ＣＰＵ２６は、ＲＯＭ２７に記憶されている制御プログラムや後述する鳴動パターンデータテーブル５２等に従って子機２５全体を制御する。パネル２９は、キースイッチ群等からなり、使用者の操作に応じた操作信号をＣＰＵ２６に出力する。無線送受信部３１は、親機１に送信すべき情報を変調してアンテナ３２を介して送出すると共に、親機１からの情報を受信し、復調してＣＰＵ２６に出力する。アンプ部３３は、ＣＰＵ２６の制御により音声情報や報知情報を増幅してスピーカ３４に出力し、マイク３５からの音声情報等を変調してＣＰＵ２６に出力する。
【００２２】
ここで、ＲＯＭ１３に予め記憶されている呼び出し先データテーブル５１について図４に基づいて説明する。図４は本実施形態に係る親機１のＲＯＭ１３に記憶される呼び出し先データテーブル５１の一例を示す図である。
図４に示されるように、呼び出し先データテーブル５１は、データを識別する「Ｎｏ」、この「Ｎｏ」に対応する「呼び出し先」、及びこの「Ｎｏ」に対応してＬＣＤ２１に設定項目として表示される「ＬＣＤ表示」から構成されている。  よって、「Ｎｏ」が「１」の場合には、この「Ｎｏ」に対応する「呼び出し先」は「全部」、即ち親機１に接続されている全部の子機２５が「呼び出し先」となり、この「Ｎｏ」に対応する設定項目の「ＬＣＤ表示」は「ヨビダシ：スベテ」である。また、「Ｎｏ」が「２」の場合には、この「Ｎｏ」に対応する「呼び出し先」は「親機」、即ち親機１のみが「呼び出し先」となり、この「Ｎｏ」に対応する設定項目の「ＬＣＤ表示」は「ヨビダシ：オヤキ」である。また、「Ｎｏ」が「３」の場合には、この「Ｎｏ」に対応する「呼び出し先」は「子機１」、即ち子機１のみが「呼び出し先」となり、この「Ｎｏ」に対応する設定項目の「ＬＣＤ表示」は「ヨビダシ：コキ１」である。また、「Ｎｏ」が「４」の場合には、この「Ｎｏ」に対応する「呼び出し先」は「子機２」、即ち子機２のみが「呼び出し先」となり、この「Ｎｏ」に対応する設定項目の「ＬＣＤ表示」は「ヨビダシ：コキ２」である。また、「Ｎｏ」が「５」の場合には、この「Ｎｏ」に対応する「呼び出し先」は「子機３」、即ち子機３のみが「呼び出し先」となり、この「Ｎｏ」に対応する設定項目の「ＬＣＤ表示」は「ヨビダシ：コキ３」である。更に、「Ｎｏ」が「６」の場合には、この「Ｎｏ」に対応する「呼び出し先」は「子機４」、即ち子機４のみが「呼び出し先」となり、この「Ｎｏ」に対応する設定項目の「ＬＣＤ表示」は「ヨビダシ：コキ４」である。
【００２３】
また、親機１のＲＯＭ１３及び子機２５のＲＯＭ２７に予め記憶されている鳴動パターンデータテーブル５２について図５に基づいて説明する。図５は本実施形態に係る親機１のＲＯＭ１３及び子機２５のＲＯＭ２７に予め記憶されている鳴動パターンデータテーブル５２の一例を示す図である。
図５に示されるように、鳴動パターンデータテーブル５２は、データを識別する「Ｎｏ」、この「Ｎｏ」に対応する「鳴動パターン」、及びこの「Ｎｏ」に対応してＬＣＤ２１に設定項目として表示される「ＬＣＤ表示」から構成されている。
よって、「Ｎｏ」が「１」の場合には、この「Ｎｏ」に対応する「鳴動パターン」は「普通」、即ち予め各ＲＯＭ１３、２７に記憶されている「普通」の鳴動パターン情報に基づくベル音であり、この「Ｎｏ」に対応する設定項目の「ＬＣＤ表示」は「ベルオン：フツウ」である。また、「Ｎｏ」が「２」の場合には、この「Ｎｏ」に対応する「鳴動パターン」は「パターン１」、即ち予め各ＲＯＭ１３、２７に記憶されている「パターン１」の鳴動パターン情報に基づくベル音であり、この「Ｎｏ」に対応する設定項目の「ＬＣＤ表示」は「ベルオン：パターン−１」である。また、「Ｎｏ」が「３」の場合には、この「Ｎｏ」に対応する「鳴動パターン」は「パターン２」、即ち予め各ＲＯＭ１３、２７に記憶されている「パターン２」の鳴動パターン情報に基づくベル音であり、この「Ｎｏ」に対応する設定項目の「ＬＣＤ表示」は「ベルオン：パターン−２」である。さらに、「Ｎｏ」が「４」の場合には、この「Ｎｏ」に対応する「鳴動パターン」は「パターン３」、即ち予め各ＲＯＭ１３、２７に記憶されている「パターン３」の鳴動パターン情報に基づくベル音であり、この「Ｎｏ」に対応する設定項目の「ＬＣＤ表示」は「ベルオン：パターン−３」である。
【００２４】
次に、ＥＥＰＲＯＭ１４の電話番号データテーブル記憶エリア１４Ａに記憶されている電話番号データテーブル５３について図６に基づいて説明する。図６は本実施形態に係る親機１のＥＥＰＲＯＭ１４の電話番号データ記憶エリア１４Ａに記憶される電話番号データテーブル５３の一例を示す図である。
図６に示されるように、電話番号データテーブル５３は、「電話番号」、この「電話番号」に対応する「名前」、この「電話番号」に対応する「呼び出し先」、及びこの「電話番号」に対応する「鳴動パターン」から構成されている。この電話番号データテーブル５３の「呼び出し先」には、前記呼び出し先データテーブル５１（図４参照）を構成する「Ｎｏ」の「１」から「６」のいずれかが選択されて記憶される。また、この電話番号データテーブル５３の「鳴動パターン」には、前記鳴動パターンデータテーブル５２（図５参照）を構成する「Ｎｏ」の「１」から「４」のいずれかが選択されて記憶される。
よって、「電話番号」が「０１２３４５６７８９」の場合には、この「電話番号」に対応する「名前」は「ＹＹ」、「呼び出し先」は「３」、及び「鳴動パターン」は「２」である。即ち、「電話番号」が「０１２３４５６７８９」の場合には、呼び出し先は、「子機１」となり、この場合の子機１の呼び出しのベル音は「パターン１」の鳴動パターン情報に基づいて鳴動する。
また、「電話番号」が「０１２３４５１２３４」の場合には、この「電話番号」に対応する「名前」は「ＷＷ」、「呼び出し先」は「５」、及び「鳴動パターン」は「４」である。即ち、「電話番号」が「０１２３４５１２３４」の場合には、呼び出し先は、「子機３」となり、この場合の子機３の呼び出しのベル音は「パターン３」の鳴動パターン情報に基づいて鳴動する。
さらに、「電話番号」が「０１２３４５２３４５」の場合には、この「電話番号」に対応する「名前」は「ＶＶ」、「呼び出し先」は「２」、及び「鳴動パターン」は「１」である。即ち、「電話番号」が「０１２３４５２３４５」の場合には、呼び出し先は、「親機１のみ」となり、この場合の親機１の呼び出しのベル音は「普通」の鳴動パターン情報に基づいて鳴動する。
尚、図６には、登録されたデータ例として３件の例が示されているが、最大登録件数は記憶容量が許す限り任意である。
【００２５】
ここで、発信元電話番号付加判別手段２及び発信元電話番号判別手段５により受信手段が構成される。また、ダイアルキー３８、機能ボタン４２、セットキー４５、及び各送りキー４６、４７により設定手段が構成される。また、ＬＣＤ２１は表示手段として機能する。また、ＥＥＰＲＯＭ１４の電話番号データテーブル記憶エリア１４Ａは、発信元情報記憶手段として機能する。また、ＣＰＵ１２は、検索手段として機能する。また、ＣＰＵ１２、ＲＯＭ１３、ＥＥＰＲＯＭ１４、ＲＡＭ１５、無線送受信部１７、及びアンテナ１８は、子機呼び出し手段を構成する。また、鳴動パターンデータテーブル５２は、鳴動パターン情報を構成し、各ＲＯＭ１３、２７は、鳴動パターン記憶手段として機能する。さらに、ＣＰＵ２６、ＲＯＭ２７、ＲＡＭ２８、アンプ部３３、及びスピーカ３４は、呼び出し手段を構成する。
また、後述するように発信元情報に関連する関連機能は、着信があった場合に、ＣＰＵ１２は、電話番号データテーブル５３に基づいて、発信元の電話番号に対応する呼び出し先と鳴動パターン情報を決定して、この決定した呼び出し先に決定された鳴動パターン情報を無線送受信部１７及びアンテナ１８を介して送出する機能である。
【００２６】
次に、このように構成された親機１の電話番号データテーブル５３の各データの登録処理の手順について図７に基づいて説明する。図７は本実施形態に係る親機１のＥＥＰＲＯＭ１４の電話番号データ記憶エリア１４Ａに記憶される電話番号データテーブル５３の各データの登録処理のフローチャートである。
先ず、図７に示されるように、ステップ（以下、Ｓと略記する）１において、ＣＰＵ１２は、操作パネル１９の機能ボタン４２の押下により、ＬＣＤ２１に「キノウ：ヨビダシトウロク」を表示し、続くセットキー４５の押下により電話番号データテーブル５３の各データ登録機能の設定処理を実行する。
【００２７】
続いて、Ｓ２において、ＣＰＵ１２は、ＬＣＤ２１に「ＴＥＬバンゴウ」を表示する。そして、ＣＰＵ１２は、ダイアルキー３８の各キーを順次押下されると、この各キーに対応する数値をＬＣＤ２１に表示すると共に、電話番号として電話番号データテーブル５３（図６参照）の「電話番号」に記憶する。
例えば、ダイアルキー３８のテンキーを、「０」、「１」、「２」、「３」、「４」、「５」、「６」、「７」、「８」、「９」と順次押下された場合には、ＬＣＤ２１に「０１２３４５６７８９」と表示し、電話番号データテーブル５３の「電話番号」に「０１２３４５６７８９」を記憶する。
【００２８】
次に、Ｓ３において、ＣＰＵ１２は、ＬＣＤ２１に「ナマエ：」を表示する。そして、ＣＰＵ１２は、ダイアルキー３８の各キーを順次押下されると、この各キーに対応する文字、記号をＬＣＤ２１に「ナマエ：」に続けて表示すると共に、電話番号データテーブル５３（図６参照）の「電話番号」に対応する「名前」として記憶する。
例えば、ＣＰＵ１２は、ダイアルキー３８の「９」のキーを一度押下されてセットキー４５を一度押下されると、ＬＣＤ２１に「ナマエ：Ｙ」と表示する。続いて、「９」のキーを一度押下されてセットキー４５を一度押下されると、ＬＣＤ２１に「ナマエ：ＹＹ」と表示する。そして、セットキー４５を一度押下されると、電話番号データテーブル５３（図６参照）の「０１２３４５６７８９」の「電話番号」に対応する「名前」に「ＹＹ」を記憶する。
【００２９】
次に、Ｓ４において、ＣＰＵ１２は、切替スイッチ４０がオンになっているか否か判定する。即ち、発信元情報としての発信元電話番号データ等を受信する機能がオンになっているか否か判定する。
そして、切替スイッチ４０がオンになっている場合には（Ｓ４：ＹＥＳ）、Ｓ５において、ＣＰＵ１２は、ＬＣＤ２１に「ヨビダシ：スベテ」を表示し、セットキー４５若しくは各送りキー４６、４７の押下を待ち、所定の呼び出し先の選択を受け付ける処理を実行する。
例えば、ＣＰＵ１２は、ＬＣＤ２１に「ヨビダシ：スベテ」を表示した後に、送りキー４７を一度押下されると、ＬＣＤ２１に「ヨビダシ：オヤキ」を表示する。そして、再度、送りキー４７を一度押下されると、ＬＣＤ２１に「ヨビダシ：コキ１」を表示する。そして、再度、送りキー４７を一度押下されると、ＬＣＤ２１に「ヨビダシ：コキ２」を表示する。そして、再度、送りキー４７を一度押下されると、ＬＣＤ２１に「ヨビダシ：コキ３」を表示する。そして、再度、送りキー４７を一度押下されると、ＬＣＤ２１に「ヨビダシ：コキ４」を表示する。そして、再度、送りキー４７を一度押下されると、ＬＣＤ２１に「ヨビダシ：スベテ」を表示し、送りキー４７を押下されると、繰り返し順次表示する。また、送りキー４６を一度押下されると、一つ前の表示をＬＣＤ２１に表示する。  そして、ＣＰＵ１２は、セットキー４５を押下されると、呼び出し先データテーブル５１（図４参照）のＬＣＤ２１の表示に対応する「Ｎｏ」を、電話番号データテーブル５３（図６参照）の「０１２３４５６７８９」の「電話番号」に対応する「呼び出し先」に記憶する。
例えば、ＣＰＵ１２が、ＬＣＤ２１に「ヨビダシ：コキ１」を表示している場合に、セットキー４５を押下されると、電話番号データテーブル５３（図６参照）の「０１２３４５６７８９」の「電話番号」に対応する「呼び出し先」に、「３」を記憶する。
【００３０】
次に、Ｓ６において、ＣＰＵ１２は、ＬＣＤ２１に「ベルオン：フツウ」を表示し、セットキー４５若しくは各送りキー４６、４７の押下を待ち、所定の呼び出し音の選択を受け付ける処理を実行する。
例えば、ＣＰＵ１２は、ＬＣＤ２１に「ベルオン：フツウ」を表示した後に、送りキー４７を一度押下されると、ＬＣＤ２１に「ベルオン：パターン−１」を表示する。そして、再度、送りキー４７を一度押下されると、ＬＣＤ２１に「ベルオン：パターン−２」を表示する。そして、再度、送りキー４７を一度押下されると、ＬＣＤ２１に「ベルオン：パターン−３」を表示する。そして、再度、送りキー４７を一度押下されると、ＬＣＤ２１に「ベルオン：フツウ」を表示し、送りキー４７を押下されると、繰り返し順次表示する。また、送りキー４６を一度押下されると、一つ前の表示をＬＣＤ２１に表示する。
そして、ＣＰＵ１２は、セットキー４５を押下されると、鳴動パターンデータテーブル５２（図５参照）のＬＣＤ２１の表示に対応する「Ｎｏ」を電話番号データテーブル５３（図６参照）の「０１２３４５６７８９」の「電話番号」に対応する「鳴動パターン」に記憶し、電話番号データテーブル５３の各データの登録処理を了する。
例えば、ＣＰＵ１２が、ＬＣＤ２１に「ベルオン：パターン−１」を表示している場合に、セットキー４５を押下されると、電話番号データテーブル５３（図６参照）の「０１２３４５６７８９」の「電話番号」に対応する「鳴動パターン」に、「２」を記憶し、親機１の電話番号データテーブル５３のデータの登録処理を終了する。
【００３１】
また、Ｓ４において、切替スイッチ４０がオフになっている場合には（Ｓ４：ＮＯ）、ＣＰＵ１２は、呼び出し機器の選択および呼び出し音の選択の処理を実行しないで終了する。
【００３２】
次に、着信があった場合の親機１及び子機１乃至子機４の呼び出しについて説明する。ＣＰＵ１２は、着信信号検出手段３により着信信号を検出すると、切替スイッチ４０のオン・オフを判定する。そして、切替スイッチ４０がオフの場合には、ＣＰＵ１２は、無線送受信部１７とアンテナ１８を介して、接続されている全ての子機２５に鳴動パターンデータテーブル５２（図５参照）の「Ｎｏ］として「１」を送出する。そして、前記「１」を鳴動パターンデータテーブル５２（図５参照）の「Ｎｏ」として受信した子機２５は、ＲＯＭ２７に記憶されている鳴動パターンデータテーブル５２の「Ｎｏ」の「１」に対応する「普通」の鳴動パターン情報に基づいて鳴動する。
【００３３】
また、切替スイッチ４０がオンの場合には、ＣＰＵ１２は、発信元電話番号付加判別手段２及び発信元電話番号判別手段５により発信元情報である発信元電話番号を検出する。そして、ＣＰＵ２１は、この検出した発信元電話番号と一致する電話番号が電話番号データテーブル５３（図６参照）の「電話番号」に登録されているか否か判定する。
そして、前記発信元電話番号が、電話番号データテーブル５３（図６参照）の「電話番号」に登録されている場合には、電話番号データテーブル５３（図６参照）の「電話番号」に対応する「呼び出し先」のデータを読み出し、このデータを呼び出し先データテーブル５１（図４参照）の「Ｎｏ］とする。そして、呼び出し先データテーブル５１（図４参照）のこの「Ｎｏ」に対応する「呼び出し先」をＲＡＭ１５に呼び出し先情報として記憶する。また、電話番号データテーブル５３（図６参照）の「電話番号」に対応する「鳴動パターン」のデータを読み出し、このデータを鳴動パターンデータテーブル５２（図５参照）の「Ｎｏ］として、ＲＡＭ１５に記憶する。続いて、ＣＰＵ１２は、無線送受信部１７とアンテナ１８を介して、ＲＡＭ１５に記憶された当該呼び出し先情報が指定する呼び出し先に、当該ＲＡＭ１５に記憶されている鳴動パターンデータテーブル５２の「Ｎｏ」を送出する。そして、前記「Ｎｏ」を受信した子機２５は、ＲＯＭ２７に記憶されている鳴動パターン情報、即ち、鳴動パターンデータテーブル５２の「Ｎｏ」に対応する「鳴動パターン」情報に基づいて鳴動する。
尚、検出した発信元電話番号と一致する電話番号が電話番号データテーブル５３（図６参照）の「電話番号」に登録されているか否かの判断の仕方は、以下のような仕方がある。
（１）下固定桁の一致によって判断する。（例えば、複数該当がある場合には、登録順あるいは該当無しとする。）
（２）電話番号データテーブル５３の「電話番号」が発信元電話番号の下何桁に一致しているかによって判断する。（例えば、複数該当がある場合、一致桁数の多いものを該当とする。）
（３）発信元電話番号が、電話番号データテーブル５３の「電話番号」の下何桁に一致しているかによって判断する。
【００３４】
また、前記発信元電話番号が、電話番号データテーブル５３（図６参照）の「電話番号」に登録されていない場合には、ＣＰＵ１２は、接続されている全ての子機２５に鳴動パターンデータテーブル５２（図５参照）の「Ｎｏ］として「１」を送出する。そして、前記「１」を鳴動パターンデータテーブル５２（図５参照）の「Ｎｏ」として受信した子機２５は、ＲＯＭ２７に記憶されている鳴動パターンデータテーブル５２の「Ｎｏ」の「１」に対応する「普通」の鳴動パターン情報に基づいて鳴動する。
【００３５】
以上詳細に説明した通り本実施形態に係る留守番録音機能付きのコードレス電話機では、親機１の電話番号データテーブル５３の各データの登録処理において、ＬＣＤ２１の表示に基づいて、所定の「電話番号」とそれに対応する「名前」を入力した後（Ｓ１〜Ｓ３）、切替スイッチ４０がオンになっているか否か判定される。即ち、発信元情報としての発信元電話番号データ等を受信する機能がオンになっているか否か判定される。そして、切替スイッチ４０がオンになっている場合には（Ｓ４：ＹＥＳ）、ＬＣＤ２１に「呼び出し先」及び「鳴動パターン」のデータ入力の設定項目が表示されて、ユーザーによる各データの入力処理が行われる（Ｓ５、Ｓ６）。また、切替スイッチ４０がオフになっている場合には、ＬＣＤ２１に「呼び出し先」及び「鳴動パターン」のデータ入力の設定項目は表示されず、電話番号データテーブル５３の対応する「呼び出し先」及び「鳴動パターン」の入力処理は実行されない（Ｓ４：ＮＯ）。
【００３６】
したがって、、発信元電話番号付加判別手段２及び発信元電話番号判別手段５を起動して、発信元の電話番号の情報を利用している場合には、親機１の電話番号データテーブル５３の各データの登録処理において、ＬＣＤ２１に「呼び出し先」及び「鳴動パターン」のデータ入力の設定項目が表示されて、ユーザーによる各データの入力処理ができる（Ｓ５、Ｓ６）ため、電話番号データテーブル５３の各データの登録処理において、「呼び出し先」及び「鳴動パターン」の設定を確実に行うことが可能となる。また、発信元電話番号付加判別手段２及び発信元電話番号判別手段５を起動させず、発信元の電話番号の情報を利用していない場合には、ＬＣＤ２１に「呼び出し先」及び「鳴動パターン」のデータ入力の設定項目が表示されないため、電話番号データテーブル５３の各データの登録処理において、「呼び出し先」及び「鳴動パターン」の設定を行わないことが可能となり、当該親機１の電話番号データテーブル５３の各データの登録処理を簡易に行うことが可能となる。
【００３７】
尚、本発明は前記実施形態に限定されることはなく、本発明の要旨を逸脱しない範囲内で種々の改良、変形が可能であることは勿論である。例えば、以下のようにしてもよい。
（ａ）前記実施形態では、親機１には、子機１乃至子機４の最大４台が接続可能であるが、５台以上の子機を接続可能にしてもよい。この場合には、呼び出し先データテーブル５１においても、それに対応した呼び出し先情報が予め登録される。
（ｂ）前記実施形態では、子機１乃至子機４を１台ずつ個別に呼び出すように電話番号データテーブル５３の「呼び出し先」に登録していたが、同時に２台以上呼び出すように登録してもよい。また、鳴動なしの選択枝を加えてもよい。この場合、指定した人からの着信に出なくてもよい。
（ｃ）前記実施形態では、鳴動パターンデータテーブル５２の「鳴動パターン」の種類は、「普通」と子機２５の接続可能な最大台数との和の５種類になっているが、もっと多くの種類にしてもよい。
（ｄ）前記実施形態では、切替スイッチ４０は、機械的なスイッチにしているが、ソフト的なスイッチにして、ＥＥＰＲＯＭ１４に記憶するようにしてもよい。
（ｅ）前記実施形態では、鳴動パターン情報として鳴動パターンデータテーブル５２を親機１のＲＯＭ１３及び子機２５のＲＯＭ２７に予め記憶しておき、子機２５は、ＲＯＭ２７に記憶している鳴動パターンデータテーブル５２の親機１から指示された「Ｎｏ」のデータに対応する鳴動パターン情報に基づいて鳴動していたが、親機１のＲＯＭ１３のみに鳴動パターンデータテーブル５２を予め記憶しておき、親機１は、電話番号データテーブル５３及び鳴動パターンデータテーブル５２に基づいて、発信元の電話番号に対応した鳴動パターン制御情報、即ち、所定鳴動パターンの鳴動制御プログラムを子機２５に送出するようにしてもよい。この場合には、子機２５のＣＰＵ２６は、受信した前記鳴動制御プログラムをＲＡＭ２８に一時記憶し、この鳴動制御プログラムを実行することにより、所定鳴動パターンで呼び出しを行うことが可能となる。
更に、親機１だけでなく各子機２５に各々独立した鳴動パターンデータテーブルを持つようにして、親機１と各子機２５の鳴動パターンの設定を各々独立して行える構成にしてもよい。また、この場合には、親機１と各子機２５の鳴動パターンを異なる鳴動パターンにしてもよい。
【００３８】
【発明の効果】
以上説明した通り本発明は、受信手段を備えた通信端末装置の機能が設定される場合には、発信元情報受信設定手段により発信元情報を受信可能と設定されたときに限り発信元情報に関連する関連機能を設定するための設定項目がＬＣＤ等に表示されるように制御することにより、関連機能設定手段を介した発信元情報に関連する関連機能の設定ミスを未然に防止することが可能となると共に、必要な機能の設定のみを簡易に行うことが可能な通信端末装置を提供することができる。
【図面の簡単な説明】
【図１】  本実施形態に係る留守番録音機能付きのコードレス電話機の親機の概略構成を示すブロック図である。
【図２】  本実施形態に係る留守番録音機能付きのコードレス電話機の親機の操作パネルの正面図である。
【図３】  本実施形態に係る留守番録音機能付きのコードレス電話機の子機の概略構成を示すブロック図である。
【図４】  本実施形態に係る親機のＲＯＭに記憶される呼び出し先データテーブルの一例を示す図である。
【図５】  本実施形態に係る親機のＲＯＭ及び子機のＲＯＭに予め記憶されている鳴動パターンデータテーブルの一例を示す図である。
【図６】  本実施形態に係る親機のＥＥＰＲＯＭの電話番号データ記憶エリアに記憶される電話番号データテーブルの一例を示す図である。
【図７】  本実施形態に係る親機のＥＥＰＲＯＭの電話番号データ記憶エリアに記憶される電話番号データテーブルの各データの登録処理のフローチャートである。
【符号の説明】
１          親機
２          発信元電話番号付加判別手段
３          着信信号検出手段
４          ラインリレー
５          発信元電話番号判別手段
１２、２６  ＣＰＵ
１３、２７  ＲＯＭ
１４        ＥＥＰＲＯＭ
１５、２８  ＲＡＭ
１７、３１  無線送受信部
１８、３２  アンテナ
１９        操作パネル
２０        電話回線
２１        ＬＣＤ
２５        子機
３８        ダイアルキー
４０        切替スイッチ
４２        機能ボタン
４５        セットキー
４６、４７  送りキー
５１        呼び出し先データテーブル
５２        鳴動パターンデータテーブル
５３        電話番号データテーブル
【図１】
0003680560.tif 000002
【図２】
0003680560.tif 000003
【図３】
0003680560.tif 000004
【図４】
0003680560.tif 000005
【図５】
0003680560.tif 000006
【図６】
0003680560.tif 000007
【図７】
0003680560.tif 000008